(57)【特許請求の範囲】
【請求項１】
真空気流を生じさせるための電気モータを有し、手持ち掃除モード又は直立掃除モードで使用され得るように構成されているパワーヘッドと、
前記電気モータをオン又はオフにするためのスイッチと、
使用者の指又は親指が係合し得るように構成され、前記スイッチと作動上結合されており、使用者が前記指又は親指で前記モータをオン又はオフにすることを可能にさせる第１のスイッチ作動器コンポーネントと、
前記第１のスイッチ作動器コンポーネントから離れて配設され、前記スイッチと作動上結合されており、前記電気モータをオン又はオフにさせるために使用者の足が係合し得るように構成されている第２のスイッチ作動器コンポーネントとを備える真空掃除機装置において、
前記第１のスイッチ作動器コンポーネント及び前記第２のスイッチ作動器コンポーネントの一方が末端部を有した連結アームを備え、
前記連結アームが、長さ方向に沿って定められた位置において、前記パワーヘッドの内部に旋回可能に取り付けられており、
前記末端部が、前記第１のスイッチ作動器コンポーネント及び前記第２のスイッチ作動器コンポーネントの他方を押し下げることで前記連結アームの旋回を引き起こさせるように、前記第１のスイッチ作動器コンポーネント及び前記第２のスイッチ作動器コンポーネントの他方に作動上結合されており、
前記連結アームの旋回運動が前記第１のスイッチ作動器コンポーネント及び前記第２のスイッチ作動器コンポーネントの一方により前記スイッチをオン又はオフにさせる、真空掃除機装置。
【請求項２】
前記連結アームが、その中点において、前記パワーヘッドの前記内壁部分に旋回可能に取り付けられている、請求項１に記載の真空掃除機装置。
【請求項３】
前記連結アームがバネによって付勢され、前記第１のスイッチ作動器コンポーネント及び前記第２のスイッチ作動器コンポーネントを非押下位置に維持するようになっている、請求項１に記載の真空掃除機装置。
【請求項４】
真空気流を生じさせるための電気モータを有し、手持ち掃除モード又は直立掃除モードで使用され得るように構成されているパワーヘッドと、
前記電気モータをオン又はオフにするためのスイッチと、
使用者の指又は親指が係合し得るように構成され、前記スイッチと作動上結合されており、使用者が前記指又は親指で前記モータをオン又はオフにすることを可能にさせる第１のスイッチ作動器コンポーネントと、
前記第１のスイッチ作動器コンポーネントから離れて配設され、前記スイッチと作動上結合されており、前記電気モータをオン又はオフにさせるために使用者の足が係合し得るように構成されている第２のスイッチ作動器コンポーネントとを備える真空掃除機装置において、
前記パワーヘッドがハウジングを備え、該ハウジングが底部壁を有する内側凹部を含み、
独立部材が前記凹部内に配設され、前記凹部内で自由に移動可能になっており、前記パワーヘッドが直立位置にあるときに前記独立部材が前記底部壁に当接するようになっており、
前記第２のスイッチ作動器コンポーネントが、少なくとも部分的に前記凹部の上に横たわるように前記凹部に隣接して配置されており、
前記第２のスイッチ作動器コンポーネントは、前記パワーヘッドが上下逆の姿勢に回転させられ前記独立部材が前記底部壁から離れたときに、前記独立部材と干渉するように構成されている部分を含み、それにより、前記パワーヘッドが上下逆の姿勢で保持されているときに、前記第２のスイッチ作動器コンポーネントが偶発的に押し下げられ、前記パワーヘッドを偶発的にオンにさせることを防止するようになっている、真空掃除機装置。
【請求項５】
ハウジングを有するパワーヘッドと、
真空気流を生じさせるために前記ハウジング内に配設される電気モータとを備える真空掃除機装置であって、
前記パワーヘッドが手持ち掃除モード又は直立掃除モードで使用可能であり、該パワーヘッドは、前記手持ち掃除モードで使用されるときに、使用者が掃除する表面上で前記パワーヘッドを操作できるようにするためのハンドルを有し、
前記電気モータをオン又はオフにするための電気スイッチと、
前記電気スイッチを作動させるために使用者の指又は親指が係合し得るように構成されており、それによって前記使用者が前記電気モータをオン又はオフにできるようにする第１のスイッチ作動器コンポーネントと、
前記第１のスイッチ作動器コンポーネントから離れて配設され、少なくとも部分的に前記ハウジングから突出しており、前記真空掃除機装置が前記直立掃除モードで使用されているときに、前記使用者の足が係合し得るように構成されている第２のスイッチ作動器コンポーネントと、
前記ハウジング内に配設され、前記使用者が前記第２のスイッチ作動器コンポーネントに係合したときに前記電気スイッチをオン又はオフにするように前記第２のスイッチ作動器コンポーネントと作動上関連付けられている連結部材とをさらに備える真空掃除機装置において、
前記連結部材が、前記第１のスイッチ作動器コンポーネントから延び且つ略中点において前記ハウジング内に旋回可能に支持されている細長い連結アームからなり、
前記連結アームの末端部が前記第２のスイッチ作動器コンポーネントと接触し、前記第２のスイッチ作動器コンポーネントの押し下げにより前記連結アームの旋回運動を引き起こさせ、それによって前記第１のスイッチ作動器コンポーネントを前記電気スイッチと係合させるようになっている、真空掃除機装置。
【請求項６】
ハウジングを有するパワーヘッドと、
真空気流を生じさせるために前記ハウジング内に配設される電気モータとを備える真空掃除機装置であって、
前記パワーヘッドが手持ち掃除モード又は直立掃除モードで使用可能であり、該パワーヘッドは、前記手持ち掃除モードで使用されるときに、使用者が掃除する表面上で前記パワーヘッドを操作できるようにするためのハンドルを有し、
前記電気モータをオン又はオフにするための電気スイッチと、
前記電気スイッチを作動させるために使用者の指又は親指が係合し得るように構成されており、それによって前記使用者が前記電気モータをオン又はオフにできるようにする第１のスイッチ作動器コンポーネントと、
前記第１のスイッチ作動器コンポーネントから離れて配設され、少なくとも部分的に前記ハウジングから突出しており、前記真空掃除機装置が前記直立掃除モードで使用されているときに、前記使用者の足が係合し得るように構成されている第２のスイッチ作動器コンポーネントと、
前記ハウジング内に配設され、前記使用者が前記第２のスイッチ作動器コンポーネントに係合したときに前記電気スイッチをオン又はオフにするように前記第２のスイッチ作動器コンポーネントと作動上関連付けられている連結部材とをさらに備える真空掃除機装置において、
前記ハウジングが底部壁を有する凹部を含み、
独立部材が前記凹部に配設され、前記凹部内で自由に移動可能になっており、前記パワーヘッドが使用できるように直立姿勢にあるときに前記独立部材が前記底部壁に当接するようになっており、
前記パワーヘッドが上下逆の姿勢に回転させられたときに、前記独立部材が前記凹部内で前記第２のスイッチ作動器コンポーネントの運動と干渉する位置に落下することにより、前記パワーヘッドが上下逆の姿勢で保持されているときに、前記第２のスイッチ作動器コンポーネントが使用者によって偶発的に押し下げられることを防止し、それにより、前記パワーヘッドが上下逆の姿勢で保持されているときに、前記電気スイッチと偶発的に係合することを防止するようになっている、真空掃除機装置。
【請求項７】
前記独立部材がボールからなり、
前記第２のスイッチ作動器コンポーネントは、前記凹部に隣接して前記ハウジング内に旋回可能に取り付けられていると共に、脚部を含み、
前記ボールは、前記パワーヘッドが上下逆に回転させられたときに、前記脚部と干渉し、前記第２のスイッチ作動器コンポーネントの旋回運動を防止する、請求項６に記載の真空掃除機装置。
【請求項８】
前記連結アームが、前記パワーヘッドの前記ハンドル部分内に配置されている、請求項５に記載の真空掃除機装置。
【請求項９】
ハウジングを有するパワーヘッドと、
真空気流を生じさせるために前記ハウジング内に配設される電気モータとを備える真空掃除機装置において、
前記パワーヘッドが手持ち掃除モード又は直立掃除モードで使用可能であり、該パワーヘッドは、前記手持ち掃除モードで使用されるときに使用者が掃除する表面上で前記パワーヘッドを操作できるようにするためのハンドルを有し、
前記パワーヘッドを前記手持ち掃除モードで使用する際に使用者を補助するために前記パワーヘッドに取り付けられる直立型ハンドルと、
前記電気モータをオン又はオフにするための電気スイッチと、
前記ハウジングから突出し、前記スイッチを作動させるために使用者の指又は親指が係合し得るように構成されており、それによって使用者が前記電気モータをオン又はオフにできるようにする第１のスイッチ作動器コンポーネントと、
前記第１のスイッチ作動器コンポーネントから離れて配設されており、前記真空掃除機装置が前記直立掃除モードで使用されているときに前記使用者の足が係合し得るように構成されている第２のスイッチ作動器コンポーネントと、
前記ハウジング内に配設され、前記使用者が前記第２のスイッチ作動器コンポーネントに係合したときに前記スイッチをオン又はオフにするように前記第２のスイッチ作動器コンポーネントと作動上関連付けられている連結部材と、
前記パワーヘッドが上下逆に回転させられたときに前記第２のスイッチ作動器コンポーネントの運動と干渉するように前記ハウジング内で自由に移動可能であり、それにより、前記パワーヘッドが上下逆の姿勢に保持されているときに使用者が前記電気モータを偶発的にオンにすることを防止する独立部材とを備えている真空掃除機装置。
【請求項１０】
前記連結部材が、前記第１のスイッチ作動器コンポーネント及び前記第２のスイッチ作動器コンポーネントの一方から延びている細長い結合アームからなる、請求項９に記載の真空掃除機装置。
【請求項１１】
前記結合部材が、略中点において、前記ハウジング内に旋回可能に支持されている、請求項１０に記載の真空掃除機装置。
【請求項１２】
前記第１のスイッチ作動器コンポーネント及び前記第２のスイッチ作動器コンポーネントの少なくとも一方を前記ハウジングから突出する位置に付勢するために、バネが前記結合部材と作動上関連付けられている、請求項１１に記載の真空掃除機装置。
【請求項１３】
前記バネが前記結合アームの前記中点に配設されているねじりバネからなる、請求項１２に記載の真空掃除機装置。
【発明の詳細な説明】
【０００１】
【発明の属する技術分野】
本発明は、真空掃除機装置に関し、より具体的には、独立して使用可能なパワーヘッドコンポーネントを有し、該パワーヘッドコンポーネントに親指作動ボタン又は足操作型作動器コンポーネントにより作動させられ得るオン／オフスイッチが含まれている直立型真空掃除機装置に関する。
【０００２】
【従来の技術】
真空掃除機装置、特に直立型真空掃除機装置は、各種清掃用途で使用されている。このような直立型真空掃除機装置は、直立する直立型ハンドル部分と、ある種の形態のベース（土台）ユニットすなわち「パワーヘッド（ｐｏｗｅｒｈｅａｄ）」ユニットとを含むことが典型である。ベースユニットは、典型的には、その底側に吸引気流開口部を備えており、この吸引気流開口部を通して真空気流（すなわち、吸引気流）を生じさせる。典型的には、直立型ハンドルはベースユニットから取り外すことはできず、ベースユニットは直立型ハンドルなしで使用されることを意図されていない。このような事情で、通常は、ベースユニットには、使用者の足で作動させるための単一のオン／オフスイッチしか設けられていない。
【０００３】
【発明が解決しようとする課題】
独立して使用可能な電気パワーヘッドコンポーネントを有する真空掃除機装置では、単一のスイッチ作動器しか含んでいないことは望ましくない。電気パワーヘッドの起動及び停止を行うためのスイッチ作動器を１つしか有していないことで、パワーヘッドを直立掃除モードで直立型ハンドルと共に使用しているか又は独立した手持ち型掃除具として使用しているかに関わらず、パワーヘッドを起動及び停止させるために、その１つのスイッチ作動器を使用することを使用者に要求する。よって、単一のスイッチ作動器の使用は、真空掃除機を手持ち掃除モードで使用しているときには、同スイッチ作動器に単数又は複数の手の指を係合させ、また、電気パワーユニットが直立掃除モードで操作されているときには、同スイッチ作動器に足の一部を係合させることを使用者に要求する。
【０００４】
したがって、別個のスイッチ作動器要素、すなわち、パワーヘッドユニットを手持ち掃除モードで使用している際に手の指で使用するように構成された１つのスイッチ作動器要素と、直立型ハンドルをパワーヘッドユニットに取り付けた状態で、パワーヘッドユニットを直立掃除モードで使用しているときに、使用者の足を係合させるように構成された第２のスイッチ作動器要素とを備えている電気パワーヘッドを提供することが切望される。また、２つのスイッチ作動器コンポーネントの使用が電気パワーユニットの構造を著しく複雑にすることがない、若しくは、使用の際にパワーヘッドを通して生じる真空流れと干渉することがない真空掃除機装置を提供することが望ましい。
【０００５】
【課題を解決するための手段】
本発明は、手持ち掃除モード又は着脱自在な直立型ハンドルを使用した直立掃除モードで使用され得る電気パワーヘッドを有し、このパワーヘッド上に２つのスイッチ作動器コンポーネントを設けるようにした真空掃除機装置に向けたものである。２つのスイッチ作動器コンポーネントは、パワーヘッドを手持ち掃除モードで使用しているときに使用者が自分の親指又はその他の指を介してパワーヘッドの電気モータをオン又はオフにすることを可能にし、真空掃除機装置を直立掃除モードで使用しているときには別個の足作動器コンポーネントを介して電気モータをオン又はオフにすることを可能にさせる。
【０００６】
１つの好ましい実施形態では、電気パワーヘッドは、手持ち掃除モードでパワーヘッドを使用しているときに使用者が容易にパワーヘッドを把持及び操作することを可能にするためにハンドル部分を含んでいる。第１のスイッチ作動器コンポーネントはハンドルの一方の端部に配設され、第２のスイッチ作動器コンポーネントはハンドルの反対側の端部に配設されている。連結アームは、ハンドル内部を第１のスイッチ作動器コンポーネントから延び、第２のスイッチ作動器コンポーネントと接触している。電気オン／オフスイッチが第１のスイッチ作動器コンポーネントの下に配設されており、第１のスイッチ作動器コンポーネントを押し下げることによって使用者がオン／オフスイッチを選択的にオン又はオフにさせることができるようになっている。
【０００７】
１つの好ましい実施形態では、結合アームは、パワーヘッドのハンドル内部の所定の位置で、ほぼ中点を支持されている。よって、結合アームは、第２のスイッチ作動器コンポーネントの運動に応じて旋回することができる。こうして、第２のスイッチ作動器コンポーネントが使用者の足で押し下げられたときに、これが連結アームの旋回を引き起こし、反対側の端部でハウジング内に取り付けられている電気スイッチを押し下げさせ、モータをオフ又はオンにさせる。したがって、第２のスイッチ作動器コンポーネントの使用は、第１のスイッチ作動器と干渉することもなく、また、第１のスイッチ作動器の使用を妨げることもなく、逆もまたない。
【０００８】
２つの別個のスイッチ作動器コンポーネントを使用することにより、電気パワーヘッドを手持ち掃除モードで使用するときには、指又は親指による作動に都合よく配置されている１つのスイッチ作動器コンポーネントを使用し、電気パワーヘッドを付随する直立型ハンドルと共に直立掃除モードで使用するときには、足による作動に都合よく配置されている第２のスイッチ作動器コンポーネントを使用することを使用者に可能とさせる。連結アームは電気パワーヘッドのハンドルの内部を通って延びていることから、パワーヘッド内で生じた吸引気流と干渉することもなければ、パワーヘッド内における電気モータの配置を複雑化させることもない。
【０００９】
本発明のさらなる利用領域は、以下に提供される詳細な説明から明らかとなる。詳細な説明及び特定の例は、本発明の好ましい実施形態を示しているが、単に例示のためのものであり、本発明の範囲を制限することを意図するものではない。
【００１０】
【発明の実施の形態】
本発明は、詳細な説明及び添付図面からさらに完全に理解される。
好ましい実施形態の以下の説明は単なる例示であり、決して、本発明、その用途、使用方法を制限することを意図するものではない。
【００１１】
図１及び図２を参照すると、本発明の好ましい実施形態による真空掃除機装置１０が示されている。真空掃除機装置１０は、電気パワーヘッド１２と、パワーヘッドから取り外し可能で直立する直立型ハンドル１４とを含んでいる。ハンドル１４がパワーヘッド１２に取り付けられているとき、真空掃除機装置１０は、直立掃除モードで使用されることができ、ハンドル１４は、掃除している表面上でパワーヘッド１２を操縦、推進するために使用される。ハンドル１４がパワーヘッド１２から取り外されているとき、パワーヘッドは、手持ち掃除モードで、ハンドル１４を介してパワーヘッド１２を操作するのが不便で実用的ではない階段、クローゼットの内部その他領域を掃除するために、独立したコンポーネント（構成要素）として使用されることができる。
【００１２】
パワーヘッド１２は、一体的に形成されたハンドル１８を有したハウジング１６を含んでいる。ハウジング１６は、さらに、パワーヘッド１２内に吸い込まれる真空気流から濾過された塵芥屑を収容するための着脱自在なカップ型塵容器２０を含んでいる。従来のモータ駆動式攪拌ブラシ（見えていない）がハウジング１６の前側部分１６ａ内に配設されている。ハウジング１６は、さらに、ハウジングの後側領域２４に配置されている一対の特大の車輪２２（１つしか見えていない）を介して支持されている。足操作式ラッチスイッチ２６により、使用者がパワーヘッド１２から直立型ハンドル１４を取り外すことが可能となる。
【００１３】
パワーヘッド１２のハンドル１８は、ハンドルの前側部分に位置し親指で作動される第１のスイッチ作動器コンポーネント２８と、ハンドル１８の後側部分に配置されており足で操作される第２のスイッチ作動器コンポーネント３０とをさらに含んでいる。第２のスイッチ作動器コンポーネント３０は、図６にも示されている。真空掃除機装置１０がその直立型ハンドル１４と共に床掃除モードで使用されているとき、パワーヘッド１２の従来型ファンモータは、使用者がその足で第２のスイッチ作動器コンポーネント３０を作動させることによってスイッチの入り切り（オンオフ）を行える。停止部材３１は、第２のスイッチ作動器コンポーネント３０の下方への移動を制限している。パワーヘッド１２が手持ち掃除モード（すなわち、ハンドル１４なしの掃除モード）で使用されているときには、使用者の親指を用いて、第１のスイッチ作動器コンポーネント２８を作動させ、ファンモータの電源の入り切りを行う。
【００１４】
ここで、図３を参照すると、パワーヘッド１２は、ハンドル１８の前端部側に配置されている電気スイッチ３２を含んでいることが分かる。電気スイッチ３２は、電気ファンモータ３４の電源の入り切りを行うために電気ファンモータ３４に電気的に結合されている。電気スイッチ３２は、電気スイッチ３２の電源の入り切りを行うために、直線的に上下に移動するプランジャ３６を含んでいる。第１のスイッチ作動器コンポーネント２８は、湾曲した細長い連結アーム３８（図６にも示されている）の形態の連結部材に隣接して、ハンドル１８の内部に支持されている。連結アーム１８は、ハンドル３８の中空内部領域４０を通って延びている。
【００１５】
図３から図７を参照すると、連結アーム３８は、ハンドル１８の内壁部分４６上に形成されている取付支柱４４上のハブ（すなわち、中心点）４２に旋回可能に支持されている。スイッチ作動器コンポーネント２８は、ハンドル１８内にコンポーネントを保持するように機能する一対のアーム部分２８ａを含んでいる。ハンドル１８は、ツーピースクラムシェル（貝殻）状構造となっていることから、スイッチ作動器コンポーネント２８は、ハンドル１８の２つの半体の間に配置されることができ、ハンドルの開口部４５内に捕捉される。スイッチ作動器コンポーネント２８は連結アーム３８の前端部３８ａ上に載置されており、連結アーム３８はファンモータ３４の電源の入り切りを行うためにスイッチプランジャ３６を下方に付勢している。ねじりバネ４８が取付支柱４４上に配設されており、連結アーム３８の凹部３８ｃ内まで延びている。ねじりバネ４８は、一端４８ａを壁部分４６の切欠き４６ａ内に係合させ、他端４８ｂをハブ４２内の切欠き５２（図６）内に係合させている。ねじりバネ４８は、第１のスイッチ作動器コンポーネント２８が使用者の親指によって押し下げられていないときに第１のスイッチ作動器コンポーネント２８が周状リブ５０内に維持されるように、連結アーム３８の前端部３８ａを上方に付勢している。この位置は、さらに、連結アーム３８の末端部３８ｂを第２のスイッチ作動器コンポーネント３０のアーム部分５４と接触した状態に維持する。また、電気スイッチ３２は、連結アーム３８の前端部３８ａを上方に付勢する助けをする内部バネ（不図示）を含んでいる。
【００１６】
図３及び図６をさらに参照すると、第２のスイッチ作動器コンポーネント３０は、さらに、アーム部分５４を横切る方向に内壁４６上を延びるように形成された一対の取付アーム５５によって、ハウジング１６内に旋回可能に支持されている。矢印５６に沿った下向きの力により、アーム部分５４を反時計回りに動かして、連結アーム３８の旋回運動を引き起こさせる。これにより、第１のスイッチ作動器コンポーネント２８に電気スイッチ３２のプランジャ３６を押し下げさせる。したがって、プランジャ３６は、第１のスイッチ作動器コンポーネント２８又は第２のスイッチ作動器コンポーネント３０を押すことによって作動させられ得る。図４では、第２のスイッチ作動器コンポーネント３０が完全に押し下げられた状態で示されている。
【００１７】
真空掃除機装置１０の他の重要な特徴は誤操作防止機構（傾き防止機構）を備えていることであり、図３、図４及び図５にこの誤操作防止機構が全体を参照番号６０で示されている。この誤操作防止機構６０は、パワーヘッドが図５に示されているような上下逆の姿勢に保持されているときに、使用者が不意に第２のスイッチ作動器３０を押し下げることによってパワーヘッド１２が偶発的にオンになることを防止する。特に図３及び図４を参照すると、第２のスイッチ作動器コンポーネント３０は、誤操作防止機構６０を実現するために、一部を底壁部分６６及び壁部分６８、７０によって形成されている凹部６４を備えている。壁部分６６、６８及び７０は、凹部６４を形成する手助けをし、この凹部６４が実質的に「ポケット」となり、このポケット内にボールベアリングとして示されている独立部材７２が配置されている。第２のスイッチ作動器コンポーネント３０は、凹部６４の開放端部の上方に配置され、パワーヘッド１２が上下逆にひっくり返されたときにボールベアリング７２が凹部６４から完全に落下することを防止する。パワーヘッド１２は、攪拌ブラシを掃除するときなどに、上下逆にひっくり返される必要があり、使用者が第２のスイッチ作動器コンポーネント３０を不意に押し下げることによってパワーヘッドを偶発的にオンにすることができないことは重要であることは了解されるであろう。
【００１８】
図４を参照すると、ボールベアリング７２は、パワーヘッド１２が直立姿勢になっているときに第２のスイッチ作動器コンポーネント３０の旋回運動と干渉することはないことが分かる。この姿勢では、第２のスイッチ作動器コンポーネント３０の脚部６２は、第２のスイッチ作動器コンポーネント３０が押し下げられるときに、ボールベアリング７２に触れずに自由に通過できる。図５を参照すると、パワーヘッド１２が上下逆の姿勢にひっくり返されているとき、ボールベアリング７２は落下して、ハウジング１６の壁部分７４と接触するようになる。ボールベアリング７２は、このとき、第２のスイッチ作動器コンポーネント３０の脚部６２と干渉する位置となり、よって、第２のスイッチ作動器コンポーネント３０が押し下げられるのを防止する。
【００１９】
本発明の２つのスイッチ作動器コンポーネント２８及び３０は、ハンドル１８内又はそれと隣接して配設され、パワーヘッド１２を通る吸引気流と干渉することもなく、パワーヘッド内のモータ３４の配置と干渉することもない。さらに、二重スイッチ作動システムは、パワーヘッド１２の組み立てを大幅に複雑化させることもなく、全体の重量に追加したり費用を大幅に増加させたりすることもない。スイッチ作動器コンポーネント２８及び３０は、連結アーム３８と共に、適宜配置される親指又は他の指がアクセス可能なコンポーネント（すなわち、第１のスイッチ作動器コンポーネント２８）によって、又は真空掃除機装置１０が直立掃除モードで使用されているときに使用者の足によって容易にアクセス可能な足で操作される部材（すなわち、第２のスイッチ作動器コンポーネント３０）を介して、使い勝手よくパワーヘッド１２をオン又はオフにすることを可能にさせていることが重要である。
【００２０】
当業者には上記説明から理解されるように、本発明の広範な教示は様々な形態の実施を可能とさせる。したがって、本発明は特定の実施例に関して説明されているが、図面、明細書及び特許請求の範囲を検討することにより他の改変が熟練者には明らかとなることから、本発明の真の範囲はかかる実施例に限定されるべきではない。
【図面の簡単な説明】
【図１】図１は、本発明の好ましい実施形態による二重オン／オフスイッチ作動システムを備えた直立型真空掃除機の斜視図である。
【図２】図２は、図１の真空掃除機の電気パワーユニットの拡大図である。
【図３】図３は、電気パワーヘッドの一部の側断面図であり、両方のスイッチ作動器がオフ位置にある状態で、二重オン／オフスイッチ作動システムの各コンポーネントを詳細に示している。
【図４】図４は、後方側のスイッチ作動器が押し下げられている図３のスイッチ作動器の図である。
【図５】図５は、電気パワーヘッドを上下逆にひっくり返した図３のスイッチ作動器の図であり、誤操作防止ロックアウトシステムによりいかにして使用者が偶発的に後方側作動器スイッチに係合するのを防止するかを示している。
【図６】図６は、後方（すなわち、足側）作動器コンポーネント、連結アーム、オン／オフスイッチ及び前方（すなわち、親指）作動器コンポーネントの斜視図である。
【図７】図７は、後方作動器コンポーネント、連結アーム、オン／オフスイッチ及び前方作動器コンポーネントを上方から見た図である。
【符号の説明】
１０…真空掃除機装置
１２…パワーヘッド
１４…直立型ハンドル
１６…ハウジング
１８…ハンドル
２８…スイッチ作動器コンポーネント
３０…スイッチ作動器コンポーネント
３２…電気スイッチ
３４…ファンモータ
３８…連結アーム
６０…誤操作防止機構
６４…凹部
７２…独立部材
【図１】
0004146171.tif 000002
【図２】
0004146171.tif 000003
【図３】
0004146171.tif 000004
【図４】
0004146171.tif 000005
【図５】
0004146171.tif 000006
【図６】
0004146171.tif 000007
【図７】
0004146171.tif 000008